(57)【要約】【課題】設計生産性および施工性が向上されるとともに、天幕を用いた天井の用途の拡大を図ることができる天井構造を提供する。【解決手段】本発明の天井構造Ｃは、天幕Ｔを用いた天井構造Ｃであって、天井に前後方向に所定間隔を設けて天井裏部材Ｂから吊架された多目的パイプ１０、例えば照明器具２１が内蔵された照明用パイプ２０や間接照明用パイプ４０、空調用パイプ３０などと、これらの多目的パイプ１０，１０間に配設された天幕Ｔとを備えてなるものである。【選択図】図１
2007277837.tif 000002
【特許請求の範囲】
【請求項１】
天幕を用いた天井構造であって、天井に所定間隔を設けて配設された多目的パイプと、該多目的パイプ間に配設された天幕とを備えてなることを特徴とする天井構造。
【請求項２】
多目的パイプが、天井裏部材から吊架されてなることを特徴とする請求項１記載の天井構造。
【請求項３】
多目的パイプが、天幕を係止する係止具を備えてなることを特徴とする請求項１記載の天井構造。
【請求項４】
多目的パイプが、天幕の巻き出しおよび巻き取りのための巻出・巻取手段を備えてなることを特徴とする請求項１記載の天井構造。
【請求項５】
多目的パイプが、照明用パイプ、間接照明用パイプ、空調用パイプ、センサ用パイプ、排煙用パイプまたは防煙たれ壁用パイプであることを特徴とする請求項１記載の天井構造。
【発明の詳細な説明】
【技術分野】
【０００１】
本発明は天井構造に関する。さらに詳しくは、天幕を用いた天井構造に関する。
【背景技術】
【０００２】
従来より、天井に天幕を用いたものが知られている。この天幕を用いた天井における照明は、一般的には、天幕の裏側に照明器具を配置した間接照明とされたり、ペンダント型の吊照明とされたりしている。
【０００３】
そのため、天幕を用いた天井の用途が、飲食用店舗や住宅などに限られている。また、天幕と照明器具などの設備と接する個所の納まりが個別設計とされているところから、設計生産性が悪いばかりでなく施工性も悪い。
【発明の開示】
【発明が解決しようとする課題】
【０００４】
本発明はかかる従来技術の課題に鑑みなされたものであって、設計生産性および施工性が向上されるとともに、天幕を用いた天井の用途の拡大を図ることができる天井構造を提供することを目的としている。
【課題を解決するための手段】
【０００５】
本発明の天井構造は、天幕を用いた天井構造であって、天井に所定間隔を設けて配設された多目的パイプと、該多目的パイプ間に配設された天幕とを備えてなることを特徴とする。
【０００６】
本発明の天井構造においては、多目的パイプが、天井裏部材から吊架されてなるのが好ましい。
【０００７】
また、本発明の天井構造においては、多目的パイプが、天幕を係止する係止具を備えてなるのが好ましい。
【０００８】
さらに、本発明の天井構造においては、多目的パイプが、天幕の巻き出しおよび巻き取りのための巻出・巻取手段を備えてなるのが好ましい。
【０００９】
さらに、本発明の天井構造においては、多目的パイプが、照明用パイプ、間接照明用パイプ、空調用パイプ、センサ用パイプ、排煙用パイプまたは防煙たれ壁用パイプであるのが好ましい。
【発明の効果】
【００１０】
本発明によれば、天幕を用いた天井構造の簡素化および設計の標準化が図られるという優れた効果が得られる。
【００１１】
また、本発明によれば、天井裏に配設されている設備のメンテナンスが容易になし得るという優れた効果が得られる。
【発明を実施するための最良の形態】
【００１２】
以下、添付図面を参照しながら本発明を実施形態に基づいて説明するが、本発明はかかる実施形態のみに限定されるものではない。
【００１３】
実施形態１
本発明の実施形態１に係る天井構造を図１に概略図で示す。
【００１４】
天井構造Ｃは、図１に示すように、屋根や上階の床裏（以下、天井裏部材という）Ｂから多目的パイプ１０，１０，１０・・・を一方の側壁から他方の側壁に向けて所定間隔で例えば同一高さにて吊り具５０により吊架し、その多目的パイプ１０，１０間および多目的パイプ１０と壁面Ｗと間に天幕Ｔを配設してなるものとされる。なお、多目的パイプ１０の高さは異なるようにされてもよい。
【００１５】
多目的パイプ１０は、図示例においては、図の左端が照明用パイプ２０とされ、その右隣が空調用パイプ３０とされ、その右隣が間接照明用パイプ４０とされ、その右隣が空調用パイプ３０とされ、その右隣つまり右端が照明用パイプ２０とされている。
【００１６】
照明用パイプ２０は、図２に示すように、内部に蛍光灯２２を有する照明器具２１が配設されるともに、その蛍光灯２２の照明用窓２３が下部に開口形成されてなるものとされる。なお、図示はされていないが、照明器具２１には例えば天井裏から電気配線がなされている。
【００１７】
空調用パイプ３０は、図３に示すように、内部に冷暖房用の空気の噴出し方向を変えるルーバー３１と、そのルーバー３１に対応させた送風窓３２が下部に開口形成されてなるものとされる。なお、図示はされていないが、空調用パイプ３０には天井裏から送風ダクトが適宜位置、例えば上部中央に接続されている。なお、この空調用パイプ３０には、換気用パイプも含まれる。
【００１８】
間接照明用パイプ４０は、図４に示すように、内部に蛍光灯４２を有する照明器具４１が配設されるともに、その蛍光灯４２の間接照明用窓４３が上部に開口形成されてなるものとされる。なお、図示はされていないが、照明器具４１には例えば天井裏から電気配線がなされている。
【００１９】
また、多目的パイプ１０には、図１および図５に示すように、天井裏部材から多目的パイプ１０を吊架するための吊架用部材１１が所定間隔、例えば９００ｍｍ間隔で設けられるとともに、その前後部（配列方向に沿った方向）には、天幕Ｔ前後端に設けられた係止リング（明瞭には図示されていない）を係止する係止具（例えばフック）１２が所定間隔、例えば３００ｍｍ間隔で設けられている。
【００２０】
図６に、多目的パイプ１０の吊り具５０の構造（吊構造）Ｋの一例を示す。
【００２１】
吊構造Ｋは、図６に示すように、多目的パイプ１０の頂部に植設された接続ボルト（吊架用部材）１１と、頂部５２がＴ字状とされた吊ボルト５１と、接続ボルト１１の上部と吊ボルト５１の下部とを接合する長ナット５３とを備えてなるものとされる。吊ボルト５１のＴ字状とされた頂部５２は、天井裏部材Ｂに形成された吊り溝Ｂｖに係止される。ここで、接続ボルト１１と吊ボルト５１のねじは逆ねじとされ、例えば接続ボルト１１が右ねじとされれば、吊ボルト５１は左ねじとされて、多目的パイプ１０の吊り位置の調整がなし得るようにされている。
【００２２】
次に、かかる構成とされた天井構造Ｃの施工の一例について説明する。
【００２３】
手順１：吊り具５０が装着され照明器具２１，４１等が内蔵された多目的パイプ１０，１０，１０・・・を天井裏部材Ｂから吊架する。すなわち、Ｔ字状とされた頂部５２を、天井裏部材Ｂに形成された吊り溝Ｂｖに係止して多目的パイプ１０，１０，１０・・・を天井裏部材Ｂから吊架する。
【００２４】
手順２：空調用パイプ３０に空調用ダクトを接続する。
【００２５】
手順３：照明用パイプ２０および間接照明用パイプ４０の照明器具２１，４１に電気配線をなす。
【００２６】
手順４：天幕Ｔの前後端部に設けられた係止リングを、多目的パイプ１０に設けられたフック２および前後壁Ｗ，Ｗに設けられたフックに係止して天幕Ｔを張設する。これにより、施工が完了する。
【００２７】
このように、実施形態１の天井構造Ｃによれば、照明用パイプ２０、空調用パイプ３０、間接照明用パイプ４０などの多目的パイプ１０，１０，１０・・・を所定間隔で吊架し、その間に天幕Ｔを張設するという簡単な作業により天井が形成できる。そのため、ボードにより形成した天井に比して施工期間および施工コストが大幅に削減できる。また、ボードにより形成した天井に比して軽量化できるので、天井を支持する構造躯体の固定荷重が低減される。
【００２８】
その上、多目的パイプ１０およびその吊構造Ｋは標準化できるので、設計の煩雑さが解消されるとともに生産コストも低減される。また、室内に必要とされる所定の機能を内蔵させることができるので、適用できる建物の種類も拡大できる。
【００２９】
さらに、施工現場での加工が実質的にゼロとなるので、廃材の発生がほとんどなく、したがってその処理費用も発生しない。
【００３０】
さらにまた、天幕Ｔを外すことで天井裏が大面積で露出されるので、天井裏に配設されている設備のメンテナンスが容易になし得るとともに、天井の復旧が容易になし得る。したがって、設備のメンテナンス性に優れている。
【００３１】
さらにまた、天幕Ｔの張替えにより容易に天井の模様替えがなし得るので、天井自体のメンテナンス性にも優れている。
【００３２】
しかも、天井の解体も天幕Ｔを外し、ついで吊り具５０を解体して多目的パイプ１０，１０，１０・・・を撤去するという簡単な作業によりなし得る。また、解体された多目的パイプ１０、天幕Ｔおよび吊り具５０などは再利用が容易であるので、天井の解体に伴う廃材の発生を実質上ゼロとできる。
【００３３】
実施形態２
本発明の実施形態２の要部を図７に示す。この実施形態２は実施形態１を改変してなるものであって、左端、中央および右端の多目的パイプ１０の前後に天幕巻出・巻取手段１６を備えて、つまり一つおきに多目的パイプ１０に天幕巻出・巻取手段１６を備えて、天幕Ｔをロールスクリーンのように巻き出し、その巻き取りを自在としてなるものとされる。この場合、天幕Ｔ端部の巻き込みを防止するため、天幕Ｔの端部に巻き込みを防止するためのストッパＴｓが配設されている。また、このストッパＴｓには、隣接する多目的パイプ１０の係止具１２に天幕Ｔを係止する係止リングＴｒが設けられている。
【００３４】
なお、天幕巻出・巻取手段１６は、ロールスクリーンに用いられている公知の構成とすることができる。
【００３５】
このように、実施形態２の天井構造Ｃによれば、一つおきに多目的パイプ１０に天幕巻取・固定手段１２を備えたので、施工がより一層簡素化される。また、天井裏のメンテナンスの際には、多目的パイプ１０に天幕Ｔを巻き取らせることができるので、天幕Ｔのハンドリングが容易となる。また、かかる特性からレイアウト変更への対応も容易となる。
【００３６】
以上、本発明を実施形態に基づいて説明してきたが、本発明はかかる実施形態のみに限定されるものではなく、種々改変が可能である。例えば、吊構造Ｋも実施形態のものに限定されるものではなく、例えば高ナット５３に代えてターンバックルとすることもできる。
【００３７】
また、多目的パイプ１０は前記のものに限定されるものではなく、煙感知器や温度センサなどのセンサが内蔵されたセンサパイプ、防煙たれ壁が内蔵された防煙たれ壁用パイプ、排煙装置に接続された排煙用パイプなどとすることもできる。
【産業上の利用可能性】
【００３８】
本発明は、建物の天井に適用できる。
【図面の簡単な説明】
【００３９】
【図１】本発明の実施形態１に係る天井構造の概略図である。
【図２】照明用パイプの概略図である。
【図３】空調用パイプの概略図である。
【図４】間接照明用パイプの概略図である。
【図５】多目的パイプの外観図である。
【図６】実施形態１の吊構造の概略図である。
【図７】本発明の実施形態２に係る天井構造の多目的パイプの概略図である。
【符号の説明】
【００４０】
１０      多目的パイプ
１１      吊架用部材，接続ボルト
１２      係止具、フック
２０      照明用パイプ
２１      照明器具
２２      蛍光灯
２３      照明用窓
３０      空調用パイプ
３１      ルーバー
３２      送風窓
４０      間接照明用パイプ
４１      照明器具
４２      蛍光灯
４３      間接照明用窓
５０      吊り具
５１      吊りボルト
５３      高ナット
Ｃ      天井構造
Ｂ      天井裏部材
【図１】
2007277837.tif 000003
【図２】
2007277837.tif 000004
【図３】
2007277837.tif 000005
【図４】
2007277837.tif 000006
【図５】
2007277837.tif 000007
【図６】
2007277837.tif 000008
【図７】
2007277837.tif 000009